(57)【要約】【課題】  一対の電話回線の極性を一定の向きに合わせる回路を不要とする。【解決手段】  一対の電話回線(L1、L2)に接続される通信装置において、着信信号検出回路(101)、極性検出回路(100)、回線捕捉ユニット(103)、ループ電流検出回路(10２)、及び通信制御装置(CON)とを備え、通信制御装置は、着信信号検出回路が着信信号を検出していない時に、極性検出回路の出力を基に、一対の電話回線の極性が所定の極性であるか判定し、一対の電話回線の極性が所定の極性でない時は、回線捕捉ユニットをオン状態とし、それによって、一対の電話回線を含むループを形成させ、続いて、該ループ上へのループ電流の有無を、ループ電流検出回路の出力を基に、判定し、ループ電流が有りの場合は一対の電話回線の極性が逆極性であると判定し、ループ電流が無しの場合は一対の電話回線が前記交換機に電気的に接続されていないと判定することを特徴とする通信装置。【選択図】  図１
2005303703.tif 000002
【特許請求の範囲】
【請求項１】
一対の電話回線に接続される通信装置であって、
一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記一対の電話回線に流れる前記ループ電流を検出するループ電流検出回路と、
前記着信信号検出回路、前記極性検出回路、前記回線捕捉ユニット、及び前記ループ電流検出回路に接続された通信制御装置とを備え、
前記通信制御装置は、所定の処理として、
前記着信信号検出回路が前記着信信号を検出していない時に、前記極性検出回路の出力を基に、前記一対の電話回線の極性が前記所定の極性であるか判定する第１の処理と、
前記一対の電話回線の極性が前記所定の極性でない時は、前記回線捕捉ユニットを前記オン状態とし、それによって、前記一対の電話回線を含む前記ループを形成させる第２の処理と、
続いて、該ループ上への前記ループ電流の有無を、前記ループ電流検出回路の出力を基に、判定し、前記ループ電流が有りの場合は前記一対の電話回線の極性が逆極性であると判定し、前記ループ電流が無しの場合は前記一対の電話回線が前記交換機に電気的に接続されていないと判定する第３の処理とを行うことを特徴とする通信装置。
【請求項２】
請求項１に記載の通信装置において、
前記通信装置の後位に接続される装置は電話機であることを特徴とする通信装置。
【請求項３】
請求項１に記載の通信装置において、
前記通信制御装置は、前記第３の処理において、前記一対の電話回線が前記交換機に電気的に接続されていないと判定された場合、再び、前記第１の処理に動作を戻すことを特徴とする通信装置。
【請求項４】
一対の電話回線に接続される通信装置であって、
一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記交換機から前記ループ電流に載せられて送られてくるダイヤルトーンを検出するダイヤルトーン検出部と、
前記着信信号検出回路、前記極性検出回路、前記回線捕捉ユニット、及び前記ダイヤルトーン検出部に接続された通信制御装置とを備え、
前記通信制御装置は、所定の処理として、
前記着信信号検出回路が前記着信信号を検出していない時に、前記極性検出回路の出力を基に、前記一対の電話回線の極性が前記所定の極性であるか判定する第１の処理と、
前記一対の電話回線の極性が前記所定の極性でない時は、前記回線捕捉ユニットを前記オン状態とし、それによって、前記一対の電話回線を含む前記ループを形成させる第２の処理と、
続いて、該ループ上への前記ダイヤルトーンの有無を、前記ダイヤルトーン検出部の出力を基に、判定し、前記ダイヤルトーンが有りの場合は前記一対の電話回線の極性が逆極性であると判定し、前記ダイヤルトーンが無しの場合は前記一対の電話回線が前記交換機に電気的に接続されていないと判定する第３の処理とを行うことを特徴とする通信装置。
【請求項５】
請求項４に記載の通信装置において、
前記通信装置の後位に接続される装置は電話機であることを特徴とする通信装置。
【請求項６】
請求項４に記載の通信装置において、
前記通信制御装置は、前記第３の処理において、前記一対の電話回線が前記交換機に電気的に接続されていないと判定された場合、再び、前記第１の処理に動作を戻すことを特徴とする通信装置。
【請求項７】
一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記一対の電話回線に流れる前記ループ電流を検出するループ電流検出回路と、
前記着信信号検出回路、前記極性検出回路、前記回線捕捉ユニット、及び前記ループ電流検出回路に接続された通信制御装置とを備えた通信装置における前記通信制御装置において、
プロセッサと、該プロセッサに所定の処理を実行させるためのプログラムを格納すると共に前記プロセッサが前記プログラムを実行する際に一時記憶としても動作するメモリとを備え、
前記所定の処理は、
前記着信信号検出回路が前記着信信号を検出していない時に、前記極性検出回路の出力を基に、前記一対の電話回線の極性が前記所定の極性であるか判定し、前記一対の電話回線の極性が前記所定の極性である時に、前記メモリに前記一対の電話回線の極性が前記所定の極性であることを記憶する第１のステップと、
前記一対の電話回線の極性が前記所定の極性でない時は、前記回線捕捉ユニットを前記オン状態とし、それによって、前記一対の電話回線を含む前記ループを形成させる第２のステップと、
続いて、該ループ上への前記ループ電流の有無を、前記ループ電流検出回路の出力を基に、判定し、前記ループ電流が有りの場合は前記一対の電話回線の極性が逆極性であると判定し、前記メモリに前記一対の電話回線の極性が前記逆極性であることを記憶し、前記ループ電流が無しの場合は前記一対の電話回線が前記交換機に電気的に接続されていないと判定し、前記メモリに前記一対の電話回線が前記交換機に電気的に接続されていないことを記憶する第３のステップとを含むことを特徴とする通信制御装置。
【請求項８】
請求項７に記載の通信制御装置において、
前記プロセッサは、前記第３のステップにおいて、前記一対の電話回線が前記交換機に電気的に接続されていないと判定された場合、再び、前記第１のステップに動作を戻すことを特徴とする通信制御装置。
【請求項９】
一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記交換機から前記ループ電流に載せられて送られてくるダイヤルトーンを検出するダイヤルトーン検出部と、
前記着信信号検出回路、前記極性検出回路、前記回線捕捉ユニット、及び前記ダイヤルトーン検出部に接続された通信制御装置とを備えた通信装置における前記通信制御装置において、
プロセッサと、該プロセッサに所定の処理を実行させるためのプログラムを格納すると共に前記プロセッサが前記プログラムを実行する際に一時記憶としても動作するメモリとを備え、
前記所定の処理は、
前記着信信号検出回路が前記着信信号を検出していない時に、前記極性検出回路の出力を基に、前記一対の電話回線の極性が前記所定の極性であるか判定し、前記一対の電話回線の極性が前記所定の極性である時に、前記メモリに前記一対の電話回線の極性が前記所定の極性であることを記憶する第１のステップと、
前記一対の電話回線の極性が前記所定の極性でない時は、前記回線捕捉ユニットを前記オン状態とし、それによって、前記一対の電話回線を含む前記ループを形成させる第２のステップと、
続いて、該ループ上への前記ダイヤルトーンの有無を、前記ダイヤルトーン検出部の出力を基に、判定し、前記ダイヤルトーンが有りの場合は前記一対の電話回線の極性が逆極性であると判定し、前記メモリに前記一対の電話回線の極性が前記逆極性であることを記憶し、前記ダイヤルトーンが無しの場合は前記一対の電話回線が前記交換機に電気的に接続されていないと判定し、前記メモリに前記一対の電話回線が前記交換機に電気的に接続されていないことを記憶する第３のステップとを含むことを特徴とする通信制御装置。
【請求項１０】
請求項９に記載の通信制御装置において、
前記プロセッサは、前記第３のステップにおいて、前記一対の電話回線が前記交換機に電気的に接続されていないと判定された場合、再び、前記第１のステップに動作を戻すことを特徴とする通信制御装置。
【請求項１１】
一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記一対の電話回線に流れる前記ループ電流を検出するループ電流検出回路と、
前記着信信号検出回路、前記極性検出回路、前記回線捕捉ユニット、及び前記ループ電流検出回路に接続された通信制御装置とを備えた通信装置における前記通信制御装置であって、
プロセッサと、該プロセッサに所定の処理を実行させるためのプログラムを格納すると共に前記プロセッサが前記プログラムを実行する際に一時記憶としても動作するメモリとを備えた前記通信制御装置のための前記プログラムにおいて、
前記所定の処理は、
前記着信信号検出回路が前記着信信号を検出していない時に、前記極性検出回路の出力を基に、前記一対の電話回線の極性が前記所定の極性であるか判定し、前記一対の電話回線の極性が前記所定の極性である時に、前記メモリに前記一対の電話回線の極性が前記所定の極性であることを記憶する第１のステップと、
前記一対の電話回線の極性が前記所定の極性でない時は、前記回線捕捉ユニットを前記オン状態とし、それによって、前記一対の電話回線を含む前記ループを形成させる第２のステップと、
続いて、該ループ上への前記ループ電流の有無を、前記ループ電流検出回路の出力を基に、判定し、前記ループ電流が有りの場合は前記一対の電話回線の極性が逆極性であると判定し、前記メモリに前記一対の電話回線の極性が前記逆極性であることを記憶し、前記ループ電流が無しの場合は前記一対の電話回線が前記交換機に電気的に接続されていないと判定し、前記メモリに前記一対の電話回線が前記交換機に電気的に接続されていないことを記憶する第３のステップとを含むことを特徴とするプログラム。
【請求項１２】
請求項１１に記載のプログラムにおいて、
前記所定の処理は、前記第３のステップにおいて、前記一対の電話回線が前記交換機に電気的に接続されていないと判定された場合、再び、前記第１のステップに動作を戻すステップを、更に含むことを特徴とするプログラム。
【請求項１３】
一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記交換機から前記ループ電流に載せられて送られてくるダイヤルトーンを検出するダイヤルトーン検出部と、
前記着信信号検出回路、前記極性検出回路、前記回線捕捉ユニット、及び前記ダイヤルトーン検出部に接続された通信制御装置とを備えた通信装置における前記通信制御装置であって、
プロセッサと、該プロセッサに所定の処理を実行させるためのプログラムを格納すると共に前記プロセッサが前記プログラムを実行する際に一時記憶としても動作するメモリとを備えた前記通信制御装置のための前記プログラムにおいて、
前記所定の処理は、
前記着信信号検出回路が前記着信信号を検出していない時に、前記極性検出回路の出力を基に、前記一対の電話回線の極性が前記所定の極性であるか判定し、前記一対の電話回線の極性が前記所定の極性である時に、前記メモリに前記一対の電話回線の極性が前記所定の極性であることを記憶する第１のステップと、
前記一対の電話回線の極性が前記所定の極性でない時は、前記回線捕捉ユニットを前記オン状態とし、それによって、前記一対の電話回線を含む前記ループを形成させる第２のステップと、
続いて、該ループ上への前記ダイヤルトーンの有無を、前記ダイヤルトーン検出部の出力を基に、判定し、前記ダイヤルトーンが有りの場合は前記一対の電話回線の極性が逆極性であると判定し、前記メモリに前記一対の電話回線の極性が前記逆極性であることを記憶し、前記ダイヤルトーンが無しの場合は前記一対の電話回線が前記交換機に電気的に接続されていないと判定し、前記メモリに前記一対の電話回線が前記交換機に電気的に接続されていないことを記憶する第３のステップとを含むことを特徴とするプログラム。
【請求項１４】
請求項１３に記載のプログラムにおいて、
前記所定の処理は、前記第３のステップにおいて、前記一対の電話回線が前記交換機に電気的に接続されていないと判定された場合、再び、前記第１のステップに動作を戻すステップを、更に含むことを特徴とするプログラム。
【発明の詳細な説明】
【技術分野】
【０００１】
本発明は、アナログ電話回線の接続有無および極性の判定方法に関するものである。
【背景技術】
【０００２】
従来は、一対の電話回線（即ち、一対のアナログ電話回線）を該一対の電話回線の極性が一定の向きになるように配線する場合、一対の電話回線の極性を一定の向きに合わせる作業が必要であった。
【０００３】
或いは、従来は、リレーやダイオードのブリッジ回路等にように、一対の電話回線の極性を一定の向きに合わせる極性合わせ回路を設けており、その分、コストアップとなった。
【０００４】
特許文献１には、［要約］及び［００２２］段落に、発信後の相手応答検出を、アナログ電話回線の電圧極性の反転検出により行うことが開示されている。
【０００５】
特許文献２には、［００１３］段落に、発信時の極性検出を所定時間内に行い極性反転を検出した場合には回線を極性反転のある回線と判定し極性反転を検出しなかった場合には回線を極性反転のない回線と判定する通信回線の極性反転の有無判定方法が開示されている。
【０００６】
特許文献３には、［０００５］段落に、電話回線の回線捕捉電流を検出する電流検出手段を、回線捕捉検出手段と極性検出手段とに共用する装置が開示されている。
【０００７】
特許文献４には、［００２３］段落に、回線の極性が工事等で逆になった場合に支障なく動作を行うことが可能とする電話回線の極性判定方法が開示されている。
【０００８】
特許文献５には、［００１７］段落に、電話回線の定常的な回線状態及び当該その極性を論理的に認識して弁別可能なように構成された網制御装置が開示されている。
【０００９】
【特許文献１】特開平６−２０５０８６号公報
【特許文献２】特開２０００−１３４２９２号公報
【特許文献３】特開２００１−２８６３８号公報
【特許文献４】特開平５−２７６２２９号公報
【特許文献５】特開平１０−２８１８１号公報
【発明の開示】
【発明が解決しようとする課題】
【００１０】
本発明の課題は、一対の電話回線を配線する場合に、一対の電話回線の極性を一定の向きに合わせる作業を不要とすることにある。
【００１１】
本発明のもう一つの課題は、一対の電話回線を配線する場合に、一対の電話回線の極性を一定の向きに合わせる極性合わせ回路を不要とし、コストダウンをはかることにある。
【課題を解決するための手段】
【００１２】
本発明による通信装置、本発明による通信制御装置、及び本発明によるプログラムは、以下のとおりである。
【００１３】
（１）  一対の電話回線に接続される通信装置であって、
一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記一対の電話回線に流れる前記ループ電流を検出するループ電流検出回路と、
前記着信信号検出回路、前記極性検出回路、前記回線捕捉ユニット、及び前記ループ電流検出回路に接続された通信制御装置とを備え、
前記通信制御装置は、所定の処理として、
前記着信信号検出回路が前記着信信号を検出していない時に、前記極性検出回路の出力を基に、前記一対の電話回線の極性が前記所定の極性であるか判定する第１の処理と、
前記一対の電話回線の極性が前記所定の極性でない時は、前記回線捕捉ユニットを前記オン状態とし、それによって、前記一対の電話回線を含む前記ループを形成させる第２の処理と、
続いて、該ループ上への前記ループ電流の有無を、前記ループ電流検出回路の出力を基に、判定し、前記ループ電流が有りの場合は前記一対の電話回線の極性が逆極性であると判定し、前記ループ電流が無しの場合は前記一対の電話回線が前記交換機に電気的に接続されていないと判定する第３の処理とを行うことを特徴とする通信装置。
【００１４】
（２）  上記（１）に記載の通信装置において、
前記通信装置の後位に接続される装置は電話機であることを特徴とする通信装置。
【００１５】
（３）  上記（１）に記載の通信装置において、
前記通信制御装置は、前記第３の処理において、前記一対の電話回線が前記交換機に電気的に接続されていないと判定された場合、再び、前記第１の処理に動作を戻すことを特徴とする通信装置。
【００１６】
（４）  一対の電話回線に接続される通信装置であって、
一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記交換機から前記ループ電流に載せられて送られてくるダイヤルトーンを検出するダイヤルトーン検出部と、
前記着信信号検出回路、前記極性検出回路、前記回線捕捉ユニット、及び前記ダイヤルトーン検出部に接続された通信制御装置とを備え、
前記通信制御装置は、所定の処理として、
前記着信信号検出回路が前記着信信号を検出していない時に、前記極性検出回路の出力を基に、前記一対の電話回線の極性が前記所定の極性であるか判定する第１の処理と、
前記一対の電話回線の極性が前記所定の極性でない時は、前記回線捕捉ユニットを前記オン状態とし、それによって、前記一対の電話回線を含む前記ループを形成させる第２の処理と、
続いて、該ループ上への前記ダイヤルトーンの有無を、前記ダイヤルトーン検出部の出力を基に、判定し、前記ダイヤルトーンが有りの場合は前記一対の電話回線の極性が逆極性であると判定し、前記ダイヤルトーンが無しの場合は前記一対の電話回線が前記交換機に電気的に接続されていないと判定する第３の処理とを行うことを特徴とする通信装置。
【００１７】
（５）  上記（４）に記載の通信装置において、
前記通信装置の後位に接続される装置は電話機であることを特徴とする通信装置。
【００１８】
（６）  上記（４）に記載の通信装置において、
前記通信制御装置は、前記第３の処理において、前記一対の電話回線が前記交換機に電気的に接続されていないと判定された場合、再び、前記第１の処理に動作を戻すことを特徴とする通信装置。
【００１９】
（７）  一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記一対の電話回線に流れる前記ループ電流を検出するループ電流検出回路と、
前記着信信号検出回路、前記極性検出回路、前記回線捕捉ユニット、及び前記ループ電流検出回路に接続された通信制御装置とを備えた通信装置における前記通信制御装置において、
プロセッサと、該プロセッサに所定の処理を実行させるためのプログラムを格納すると共に前記プロセッサが前記プログラムを実行する際に一時記憶としても動作するメモリとを備え、
前記所定の処理は、
前記着信信号検出回路が前記着信信号を検出していない時に、前記極性検出回路の出力を基に、前記一対の電話回線の極性が前記所定の極性であるか判定し、前記一対の電話回線の極性が前記所定の極性である時に、前記メモリに前記一対の電話回線の極性が前記所定の極性であることを記憶する第１のステップと、
前記一対の電話回線の極性が前記所定の極性でない時は、前記回線捕捉ユニットを前記オン状態とし、それによって、前記一対の電話回線を含む前記ループを形成させる第２のステップと、
続いて、該ループ上への前記ループ電流の有無を、前記ループ電流検出回路の出力を基に、判定し、前記ループ電流が有りの場合は前記一対の電話回線の極性が逆極性であると判定し、前記メモリに前記一対の電話回線の極性が前記逆極性であることを記憶し、前記ループ電流が無しの場合は前記一対の電話回線が前記交換機に電気的に接続されていないと判定し、前記メモリに前記一対の電話回線が前記交換機に電気的に接続されていないことを記憶する第３のステップとを含むことを特徴とする通信制御装置。
【００２０】
（８）  上記（７）に記載の通信制御装置において、
前記プロセッサは、前記第３のステップにおいて、前記一対の電話回線が前記交換機に電気的に接続されていないと判定された場合、再び、前記第１のステップに動作を戻すことを特徴とする通信制御装置。
【００２１】
（９）  一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記交換機から前記ループ電流に載せられて送られてくるダイヤルトーンを検出するダイヤルトーン検出部と、
前記着信信号検出回路、前記極性検出回路、前記回線捕捉ユニット、及び前記ダイヤルトーン検出部に接続された通信制御装置とを備えた通信装置における前記通信制御装置において、
プロセッサと、該プロセッサに所定の処理を実行させるためのプログラムを格納すると共に前記プロセッサが前記プログラムを実行する際に一時記憶としても動作するメモリとを備え、
前記所定の処理は、
前記着信信号検出回路が前記着信信号を検出していない時に、前記極性検出回路の出力を基に、前記一対の電話回線の極性が前記所定の極性であるか判定し、前記一対の電話回線の極性が前記所定の極性である時に、前記メモリに前記一対の電話回線の極性が前記所定の極性であることを記憶する第１のステップと、
前記一対の電話回線の極性が前記所定の極性でない時は、前記回線捕捉ユニットを前記オン状態とし、それによって、前記一対の電話回線を含む前記ループを形成させる第２のステップと、
続いて、該ループ上への前記ダイヤルトーンの有無を、前記ダイヤルトーン検出部の出力を基に、判定し、前記ダイヤルトーンが有りの場合は前記一対の電話回線の極性が逆極性であると判定し、前記メモリに前記一対の電話回線の極性が前記逆極性であることを記憶し、前記ダイヤルトーンが無しの場合は前記一対の電話回線が前記交換機に電気的に接続されていないと判定し、前記メモリに前記一対の電話回線が前記交換機に電気的に接続されていないことを記憶する第３のステップとを含むことを特徴とする通信制御装置。
【００２２】
（１０）  上記（９）に記載の通信制御装置において、
前記プロセッサは、前記第３のステップにおいて、前記一対の電話回線が前記交換機に電気的に接続されていないと判定された場合、再び、前記第１のステップに動作を戻すことを特徴とする通信制御装置。
【００２３】
（１１）  一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記一対の電話回線に流れる前記ループ電流を検出するループ電流検出回路と、
前記着信信号検出回路、前記極性検出回路、前記回線捕捉ユニット、及び前記ループ電流検出回路に接続された通信制御装置とを備えた通信装置における前記通信制御装置であって、
プロセッサと、該プロセッサに所定の処理を実行させるためのプログラムを格納すると共に前記プロセッサが前記プログラムを実行する際に一時記憶としても動作するメモリとを備えた前記通信制御装置のための前記プログラムにおいて、
前記所定の処理は、
前記着信信号検出回路が前記着信信号を検出していない時に、前記極性検出回路の出力を基に、前記一対の電話回線の極性が前記所定の極性であるか判定し、前記一対の電話回線の極性が前記所定の極性である時に、前記メモリに前記一対の電話回線の極性が前記所定の極性であることを記憶する第１のステップと、
前記一対の電話回線の極性が前記所定の極性でない時は、前記回線捕捉ユニットを前記オン状態とし、それによって、前記一対の電話回線を含む前記ループを形成させる第２のステップと、
続いて、該ループ上への前記ループ電流の有無を、前記ループ電流検出回路の出力を基に、判定し、前記ループ電流が有りの場合は前記一対の電話回線の極性が逆極性であると判定し、前記メモリに前記一対の電話回線の極性が前記逆極性であることを記憶し、前記ループ電流が無しの場合は前記一対の電話回線が前記交換機に電気的に接続されていないと判定し、前記メモリに前記一対の電話回線が前記交換機に電気的に接続されていないことを記憶する第３のステップとを含むことを特徴とするプログラム。
【００２４】
（１２）  上記（１１）に記載のプログラムにおいて、
前記所定の処理は、前記第３のステップにおいて、前記一対の電話回線が前記交換機に電気的に接続されていないと判定された場合、再び、前記第１のステップに動作を戻すステップを、更に含むことを特徴とするプログラム。
【００２５】
（１３）  一対の電話回線に接続され、上位の交換機からの着信信号を検出する着信信号検出回路と、
前記一対の電話回線に接続され、前記一対の電話回線の極性が所定の極性か否か検出する極性検出回路と、
前記一対の電話回線のうちの一方の電話回線に挿入接続され、オン状態とされた時、前記一対の電話回線を含むループを形成し、該ループには、前記一対の電話回線が前記交換機に電気的に接続されていれば、ループ電流が流れる回線捕捉ユニットと、
前記交換機から前記ループ電流に載せられて送られてくるダイヤルトーンを検出するダイヤルトーン検出部と、
前記着信信号検出回路、前記極性検出回路、前記回線捕捉ユニット、及び前記ダイヤルトーン検出部に接続された通信制御装置とを備えた通信装置における前記通信制御装置であって、
プロセッサと、該プロセッサに所定の処理を実行させるためのプログラムを格納すると共に前記プロセッサが前記プログラムを実行する際に一時記憶としても動作するメモリとを備えた前記通信制御装置のための前記プログラムにおいて、
前記所定の処理は、
前記着信信号検出回路が前記着信信号を検出していない時に、前記極性検出回路の出力を基に、前記一対の電話回線の極性が前記所定の極性であるか判定し、前記一対の電話回線の極性が前記所定の極性である時に、前記メモリに前記一対の電話回線の極性が前記所定の極性であることを記憶する第１のステップと、
前記一対の電話回線の極性が前記所定の極性でない時は、前記回線捕捉ユニットを前記オン状態とし、それによって、前記一対の電話回線を含む前記ループを形成させる第２のステップと、
続いて、該ループ上への前記ダイヤルトーンの有無を、前記ダイヤルトーン検出部の出力を基に、判定し、前記ダイヤルトーンが有りの場合は前記一対の電話回線の極性が逆極性であると判定し、前記メモリに前記一対の電話回線の極性が前記逆極性であることを記憶し、前記ダイヤルトーンが無しの場合は前記一対の電話回線が前記交換機に電気的に接続されていないと判定し、前記メモリに前記一対の電話回線が前記交換機に電気的に接続されていないことを記憶する第３のステップとを含むことを特徴とするプログラム。
【００２６】
（１４）  上記（１３）に記載のプログラムにおいて、
前記所定の処理は、前記第３のステップにおいて、前記一対の電話回線が前記交換機に電気的に接続されていないと判定された場合、再び、前記第１のステップに動作を戻すステップを、更に含むことを特徴とするプログラム。
【発明の効果】
【００２７】
本発明によれば、一対の電話回線の極性を一定の向きに合わせる作業が不要となる。
【００２８】
更に本発明によれば、一対の電話回線の極性を一定の向きに合わせる極性合わせ回路が不要となり、コストダウンをはかることができる。
【００２９】
上記特許文献１には、上述のように、発信後の相手応答検出を、アナログ電話回線の電圧極性の反転検出により行うことが開示されているが、これは、ループ閉結時の極性反転検出である。これに対し、本発明は、発信後の極性反転検出ではなく、ループ開放時の極性反転検出である。
【００３０】
上記特許文献１は、本発明における上記所定の処理を、特に、上記所定の処理としての一連のステップを開示していない。
【００３１】
同様に、上記特許文献２〜５のいずれも、本発明における上記所定の処理を、特に、上記所定の処理としての一連のステップを開示していない。
【発明を実施するための最良の形態】
【００３２】
次に本発明の実施例について図面を参照して説明する。
【００３３】
本発明は、アナログ電話回線を収容する通信装置において、極性検出回路の出力と、ループ電流（或いは、ダイヤルトーン）の有無とにより、電話回線の交換機に対する接続有無および極性を判定し、従来必要だった電話回線の極性を一定の向きに合わせる回路を省略したことを特徴としている。
【００３４】
図1を参照すると、本発明の一実施例による通信装置は、プロセッサとしてのCPU (Central Processing Unit) 111と、該プロセッサ（CPU 111）に所定の処理を実行させるためのプログラムを格納すると共に前記プロセッサ（CPU 111）が前記プログラムを実行する際に一時記憶としても動作するメモリ（ROM (Read-Only-Memory) 112 及びRAM (Random Access Memory) 113の組合せ）とを備えた通信制御装置CONを有する。即ち、通信制御装置CONの前記メモリは、前記プロセッサ（CPU 111）に所定の処理を実行させるためのプログラムを格納するROM 112と、前記プロセッサ（CPU 111）が前記プログラムを実行する際に一時記憶として動作するRAM 113とを有している。
【００３５】
本通信装置は、更に、一対の電話回線L1及びL2に接続された極性検出回路100を有している。極性検出回路100は、一対の電話回線L1及びL2が交換機（のバッテリー）に電気的に接続されている場合であって、一対の電話回線L1及びL2の極性が、L1（＝＋電位（グランド電位））、L2（＝−電位）の場合（即ち、所定の極性、或いは、正しい極性の場合）に、”H”を出力する。極性検出回路100は、一対の電話回線L1及びL2が交換機（のバッテリー）に電気的に接続されている場合であって、一対の電話回線L1及びL2の極性が、L1（＝−電位）、L2（＝＋電位（グランド電位））の場合（即ち、逆の極性の場合）、及び一対の電話回線L1及びL2が交換機（のバッテリー）に電気的に接続されていない場合は、”L”を出力する。
【００３６】
リンガー検出回路101は、一対の電話回線L1及びL2に接続され、上位の交換機から着信信号を受信している場合に”H”を出力し、着信信号を受信していない場合には”L”を出力する。
【００３７】
ループ電流検出回路102は、電話回線L1に挿入接続され、電話回線L1にループ電流が流れていれば”H”を出力し、流れていなければ”L”を出力する。
【００３８】
回線捕捉リレー103は、電話回線L1に挿入接続され、I/O (Input/Output) ポート114が”H”を出力するとONする。回線捕捉リレー103がONとなると、電話回線L1 − ループ電流検出回路102 − 回線捕捉リレー103 − 定電流回路104 − 電話回線L2というループが形成され、該ループには、一対の電話回線L1及びL2が交換機（のバッテリー）に電気的に接続されていればループ電流が流れる。
【００３９】
定電流回路104は、一対の電話回線L1及びL2に接続され、ループ電流を一定の値に制限するものである。
【００４０】
トランス105は、一対の電話回線L1及びL2及びハイブリッド回路106に接続され、一対の電話回線L1及びL2と本通信装置のハイブリッド回路106以降の回路とを直流的に絶縁する。
【００４１】
ハイブリッド回路106は、電話回線L1及びL2側の2線の信号を、コーデック107側の4線の信号（送受話信号の分離）に変換するブリッジ回路である。
【００４２】
コーデック(CODEC: Coder/Decoder) 107は、一対の電話回線L1及びL2からの音声をA/D (Analog-to-Digital) 変換し、DSP 108からの音声をD/A (Digital-to-Analog) 変換する。
【００４３】
DSP (Digital Signal Processer) 108は、CPU 111からの命令によりPB (Push-Button) 選択信号を生成したり、また、一対の電話回線L1及びL2のダイヤルトーンを検出しCPU 111に通知する機能（後述する図1の通信装置の変形例で使用する）を持つ。
【００４４】
制御チャネルインターフェース109は、本通信装置の後位に接続される電話機等と制御情報をやりとりするインターフェースである。
【００４５】
音声チャネルインターフェース110は、本通信装置の後位に接続される電話機と音声をやりとりするインターフェースである。
【００４６】
CPU 111は、ROM 112に蓄積されたプログラムを順次実行し、制御チャネルインターフェース109を通し制御情報のやりとりを行い、前述の検出回路の出力やDSP 108からの出力を元に、回線捕捉リレー103の制御を行う。
【００４７】
CPU 111は、一対の電話回線L1及びL2の状態等を、RAM 113に記憶する。
【００４８】
I/Oポート114は、前述の検出回路の出力をCPU 111に入力したり、CPU 111の制御下で、回線捕捉リレー103のON/OFF制御したりする。
【００４９】
本通信装置が起動されると、CPU 111は、ROM 112に蓄積されたプログラムを順次実行し、一対の電話回線L1及びL2の交換機への電気的な接続の有無と一対の電話回線L1及びL2の極性とを、次のように判定し、RAM 113に記憶する。
【００５０】
交換機からリンガー（着信信号）を受信していないこと（リンガー検出回路101出力”L”）を確認後、極性を判定し、極性検出回路100の出力が”H”であれば、一対の電話回線L1及びL2の極性の初期状態値として“正極性”をRAM 113に記憶する。
【００５１】
極性検出回路100の出力が”L”であれば、回線捕捉リレー103をONし、ループ電流検出回路102でループ電流の有無を確認する。
【００５２】
ループ電流があれば（ループ電流検出回路102出力”H”であれば）、一対の電話回線L1及びL2の極性の初期状態値として“逆極性”をRAM 113に記憶する。
【００５３】
ループ電流がなければ（ループ電流検出回路出力”L” であれば）、一対の電話回線L1及びL2の極性の初期状態値として“接続無し（即ち、一対の電話回線L1及びL2の交換機への電気的な接続が無し）”とRAM113に記憶する。
【００５４】
“接続無し”と判定された場合は、任意時間待って、上述のリンガー（着信信号）を受信していないこと（リンガー検出回路101出力”L”）の確認に戻る。
【００５５】
“正極性”および“逆極性”と判定された場合には、上述のリンガー（着信信号）を受信していないこと（リンガー検出回路101出力”L”）の確認は行わない。
【００５６】
このようにして、本発明では、リンガー検出がないときに、一対の電話回線L1及びL2の極性の初期状態値が“正極性”であるかを判定し、“正極性”でない時は回線を捕捉し、ループ電流の有無により、電話回線の初期状態値が“逆極性”か“接続無し”かを判定しているので、従来の極性合わせ回路を省略することができる。
【００５７】
次に図1の動作を図2に示すフローチャートを使用して説明する。
【００５８】
本通信装置が起動されると、CPU 111は、ROM 112に蓄積されたプログラムを順次実行し、一対の電話回線L1及びL2の交換機への電気的な接続の有無と一対の電話回線L1及びL2の極性とを、次のように判定し、RAM 113に記憶する。
【００５９】
CPU 111は、リンガー検出回路101の出力により、ステップ202で、リンガーがあるか否かの判定を行い、リンガーがある場合、ステップ203に移行し、リンガーがない場合は、ステップ204に移行する。
【００６０】
ステップ203に移行した場合、任意時間（例えば、１分）待ち、再び、ステップ202に移行する。
【００６１】
ステップ204では、極性検出がONか（極性検出回路100の出力が”H”か）否かの判定を行い、ON（”H”）の場合は、ステップ209で“回線接続あり及び正極性”と判定され、この判定結果がRAM 113に記憶される。
【００６２】
ステップ204で極性検出がOFF（極性検出回路100の出力が”L”）の場合は、ステップ205に移行する。
【００６３】
ステップ205では回線捕捉リレー103をONし、ループを生成する。
【００６４】
続いて、ステップ206ではループ電流の有無を判定し、ループ電流有りの場合は、ステップ208で“回線接続あり及び逆極性”と判定され、RAM 113に記憶される。
【００６５】
ステップ206でループ電流無しの場合は、ステップ207で“回線接続無し”と判定され、RAM 113に記憶される。
【００６６】
ステップ207で“回線接続無し”と判定された場合は、ステップ203に移行する。
【００６７】
以上より、電話回線の接続の有無と極性の初期状態値判定が可能となる。
【００６８】
以上説明したように、本実施例によれば、一対の電話回線の極性を一定の向きに合わせる作業や、一対の電話回線の極性を一定の向きに合わせる極性合わせ回路が不要となる。
【００６９】
また、回線の挿入時の極性決めだけでなく、図２のプロセスを、
・回線の抜き差し判別
・回線の再挿入時の自動極性判別
に応用してもよい。
【００７０】
次に、図１の通信装置の変形例について説明する。
【００７１】
この変形例による通信装置は、図１に破線で示したごとく、DSP 108内に、ダイヤルトーンを検出するダイヤルトーン検出部120が設けられる。そして、この変形例では、ループ電流検出回路102によるループ電流の有無の検出の代わりに、DSP 108内のダイヤルトーン検出部120で、交換機からのダイヤルトーンの有無を検出することで、電話回線の接続の有無と極性の初期状態値判定を行うことを可能としている。上述したように、回線捕捉リレー103がONとなると、電話回線L1 − ループ電流検出回路102 − 回線捕捉リレー103 − 定電流回路104 − 電話回線L2というループが形成され、該ループには、一対の電話回線L1及びL2が交換機（のバッテリー）に電気的に接続されていればループ電流が流れる。そして、回線捕捉リレー103のON状態は、本通信装置の後位の電話機のオフフック状態（電話機本体から送受機を取り上げた状態）と同じ状態であるので、交換機は、ループ電流（直流電流）にダイヤルトーンを載せて、本通信装置に返してくる。一対の電話回線L1及びL2が交換機（のバッテリー）に電気的に接続されていなければ、ループ電流は流れず、本通信装置にはダイヤルトーンは帰ってこない。
【００７２】
次に、図１に加え、図３のフローチャートをも参照して、この変形例による通信装置の動作を説明する。
【００７３】
本通信装置が起動されると、CPU 111は、ROM 112に蓄積されたプログラムを順次実行し、一対の電話回線L1及びL2の交換機への電気的な接続の有無と一対の電話回線L1及びL2の極性とを、次のように判定し、RAM 113に記憶する。
【００７４】
CPU 111は、リンガー検出回路101の出力により、ステップ302で、リンガーがあるか否かの判定を行い、リンガーがある場合、ステップ303に移行し、リンガーがない場合は、ステップ304に移行する。
【００７５】
ステップ303に移行した場合、任意時間（例えば、１分）待ち、再び、ステップ302に移行する。
【００７６】
ステップ304では、極性検出がONか（極性検出回路100の出力が”H”か）否かの判定を行い、ON（”H”）の場合は、ステップ309で“回線接続あり及び正極性”と判定され、この判定結果がRAM 113に記憶される。
【００７７】
ステップ304で極性検出がOFF（極性検出回路100の出力が”L”）の場合は、ステップ305に移行する。
【００７８】
ステップ305では回線捕捉リレー103をONし、ループを生成する。
【００７９】
続いて、ステップ306では、DSP 108内のダイヤルトーン検出部120で交換機からの電話回線L1及びL2を介してのダイヤルトーンの有無を判定し、ダイヤルトーン有りの場合は、ステップ308で“回線接続あり及び逆極性”と判定され、RAM 113に記憶される。
【００８０】
ステップ306でダイヤルトーン無しの場合は、ステップ307で“回線接続無し”と判定され、RAM 113に記憶される。
【００８１】
ステップ307で“回線接続無し”と判定された場合は、ステップ303に移行する。
【００８２】
以上より、電話回線の接続の有無と極性の初期状態値判定が可能となる。
【図面の簡単な説明】
【００８３】
【図１】本発明の一実施例による通信装置のブロック図である。
【図２】図１に示した通信装置の動作を説明するためのフローチャートである。
【図３】図１の通信装置の変形例の動作を説明するためのフローチャートである。
【符号の説明】
【００８４】
CON    通信制御装置
L1    電話回線
L2    電話回線
100    極性検出回路
101    リンガー検出回路
102    ループ電流検出回路
103    回線捕捉リレー
104    定電流回路
105    トランス
106    ハイブリッド回路
107    コーデック
108    DSP
109    制御チャネルインターフェース
110    音声チャネルインターフェース
111    CPU
112    ROM
113    RAM
114    I/Oポート
120    ダイヤルトーン検出部
【図１】
2005303703.tif 000003
【図２】
2005303703.tif 000004
【図３】
2005303703.tif 000005